(57)【特許請求の範囲】
【請求項１】
スカートを有する容器用の取り外し可能なハンドルであって、
保持体と、
前記保持体に固定され、前記スカートの一部の外面に相補的な形状の一端部を有する固定クランプ部材と、
前記スカートの一部の内面に相補的な形状の一端部を有する可動クランプ部材と、
前記可動クランプ部材を、前記固定クランプ部材に相対的に移動させる変位手段とを有し、
前記可動クランプ部材は、前記固定クランプ部材の前記一端部と前記可動クランプ部材の前記一端部とが前記スカートを把持する閉位置と開位置との間で前記保持体に対して相対的に移動することができ、
前記変位手段は、
前記可動クランプ部材を前記開位置とする広がり位置と前記可動クランプ部材を前記閉位置とする保持体内への退入位置との間で揺動可能に、前記保持体に取り付けられたレバーと、
前記可動クランプ部材と前記レバーとの間に設けられ、前記レバーが揺動したときに前記可動クランプ部材を移動させ、前記レバーが前記退入位置にあるときに、前記可動クランプ部材を前記閉位置に保持するばね手段と
を有することを特徴とする容器用の取り外し可能なハンドル。
【請求項２】
前記ばね手段は、前記レバー内に設けられ前記レバーに固定された第１端と、第２端とを有する補償スプリングと、第１端が前記可動クランプ部材に揺動可能に連結され第２端が前記補償スプリングの前記第２端に揺動可能に連結されたリンクと、を有することを特徴とする請求項１に記載のハンドル。
【請求項３】
前記ばね手段は、第１端が前記可動クランプ部材に係合し、第２端が前記レバーに揺動可能に設けられた板ばねを有することを特徴とする請求項１に記載のハンドル。
【請求項４】
前記保持体内に設けられ、第１端が前記保持体に固定され、第２端が前記可動クランプ部材に固定された戻しばねを有し、この戻しばねは、前記レバーが前記退入位置から広がり位置に揺動したときに前記可動クランプ部材と前記固定クランプ部材とを引き離す方向に力を印加することを特徴とする請求項１に記載のハンドル。
【請求項５】
前記可動クランプ部材の少なくとも一部と前記レバーの一部とは、前記閉位置にて相互に隣接し、前記可動クランプ部材の前記少なくとも一部と、前記レバーの前記一部とは、相互に噛合して前記可動クランプ部材の動きを止める相補的なラックを備えていることを特徴とする請求項１に記載のハンドル。
【請求項６】
前記レバーは解除ボタンを有し、前記保持体は開口を有し、前記レバーが前記退入位置にいるときに、前記解除ボタンは前記開口内に収納され、前記保持体を挿通していることを特徴とする請求項１に記載のハンドル。
【請求項７】
前記ばね手段は、前記レバーが前記退入位置にあるときに、前記可動クランプ部材の移動方向に沿っていることを特徴とする請求項１に記載のハンドル。
【請求項８】
前記ばね手段は、前記レバーが前記退入位置にあるときに、前記可動クランプ部材と前記固定クランプ部材との間隔を前記スカートの厚さにあわせてこれを補償するように調節することを特徴とする請求項１に記載のハンドル。
【発明の詳細な説明】
【０００１】
【発明の属する技術分野】
本発明は、特に料理用容器等に適した容器用の取外し可能なハンドルに関する。
【０００２】
【従来の技術】
取外し可能なハンドルを有するキャセロール及びソースパンは公知である。これらの容器は１つ又はそれ以上の雄形固定部材が設けられており、雄形固定部材はピン及びその他の形状を有し、これらの容器の外壁に取付けられ、雌形状の端部を有する器具を、雄形固定部材と嵌合させたりこの固定部材から引出すことが容易にできる。
従ってこのタイプの器具は、固定部材を前もって備える容器を必要とし、この固定部材は例えば溶接又はリベット止めされ、これに起因してこれらの容器の製造は複雑になる。
この外部部材は、異なる容器を積重ねる場合に煩わしい。
【０００３】
米国特許第２８０８２８４号明細書に開示されているハンドルは、容器本体のエッジを把持する２つのジョーを有する。
しかし、可動なジョーはガイドロッドを中心に回転し、これに起因して、容器本体のスカート上でジョーの位置が幾らか不正確になる。
更に、可動ジョーの回転は、容器本体のスカートのただ１つの厚さのみに整合され、ジョーは、容器本体の別の厚さのためのハンドルの閉鎖位置において互いに平行でない。
【０００４】
【発明が解決しようとする課題】
本発明の課題は、容器本体に前もって取付ける必要がなく、容器のハンドリングを簡単にし、異なる厚さの容器本体に適合取付けできる取外し可能なハンドルにより前述の欠点を除去することにある。
【０００５】
【課題を解決するための手段】
本願発明の取り外し可能なハンドルは、スカート（３）を有する容器（１）用の取り外し可能なハンドルであって、以下の構成を有する。即ち、明確化のために、図１乃至図３の符号を付して記載すると、本願請求項１の発明は、
保持体（１１）と、
前記保持体に固定され、前記スカート（３）の一部の外面に相補的な形状の一端部（１３ａ）を有する固定クランプ部材（１３）と、
前記スカート（３）の一部の内面に相補的な形状の一端部（１４ａ）を有する可動クランプ部材（１４）と、
前記可動クランプ部材（１４）を、前記固定クランプ部材（１３）に相対的に移動させる変位手段（１２，１９，２０）とを有し、
前記可動クランプ部材（１４）は、前記固定クランプ部材（１３）の前記一端部（１３ａ）と前記可動クランプ部材（１４）の前記一端部（１４ａ）とが前記スカート（３）を把持する閉位置と開位置との間で前記保持体（１１）に対して相対的に移動することができ、
前記変位手段は、前記可動クランプ部材（１４）を前記開位置とする広がり位置と前記可動クランプ部材（１４）を前記閉位置とする保持体（１１）内への退入位置との間で揺動可能に、前記保持体（１１）に取り付けられたレバー（１２）と、前記可動クランプ部材（１４）と前記レバー（１２）との間に設けられ、前記レバー（１２）が揺動したときに前記可動クランプ部材（１４）を移動させ、前記レバー（１２）が前記退入位置にあるときに、前記可動クランプ部材（１４）を前記閉位置に保持するばね手段（１９，２０、４０）とを有することを特徴とする。
本願請求項２は、
前記ばね手段（１９，２０）は、前記レバー（１２）内に設けられ前記レバー（１２）に固定された第１端と、第２端とを有する補償スプリング（１９）と、第１端が前記可動クランプ部材（１４）に揺動可能に連結され第２端が前記補償スプリング（１９）の前記第２端に揺動可能に連結されたリンク（２０）と、を有することを特徴とする。
本願請求項３は、
前記ばね手段（４０）は、第１端が前記可動クランプ部材（１４）に係合し、第２端が前記レバー（１２）に揺動可能に設けられた板ばね（４０）を有することを特徴とする。
本願請求項４は、
前記保持体（１１）内に設けられ、第１端が前記保持体（１１）に固定され、第２端が前記可動クランプ部材（１４）に固定された戻しばね（１５）を有し、この戻しばね（１５）は、前記レバー（１２）が前記退入位置から広がり位置に揺動したときに前記可動クランプ部材（１４）と前記固定クランプ部材（１３）とを引き離す方向に力を印加することを特徴とする。
本願請求項５は、
前記可動クランプ部材（１４）の少なくとも一部と前記レバー（１２）の一部とは、前記閉位置にて相互に隣接し、前記可動クランプ部材（１４）の前記少なくとも一部と、前記レバー（１２）の前記一部とは、相互に噛合して前記可動クランプ部材（１４）の動きを止める相補的なラック（２２，２３）を備えていることを特徴とする。
本願請求項６は、
前記レバー（１２）は解除ボタン（２４）を有し、前記保持体（１１）は開口（２５）を有し、前記レバー（１２）が前記退入位置にいるときに、前記解除ボタン（２４）は前記開口（２５）内に収納され、前記保持体（１１）を挿通していることを特徴とする。
また、本願請求項７は、
前記ばね手段（１９，２０，４０）は、前記レバー（１２）が前記退入位置にあるときに、前記可動クランプ部材（１４）の移動方向に沿っていることを特徴とする。
本願請求項８は、
前記ばね手段は、前記レバーが前記退入位置にあるときに、前記可動クランプ部材と前記固定クランプ部材との間隔を前記スカートの厚さにあわせてこれを補償するように調節することを特徴とする。
本発明によれば、単に容器本体のスカートを把持することによりハンドルを用いて容器を掴むことができる。湾曲リムは、クランプ部材のための当接部分を提供し、これにより垂直方向のスライドが防止される。従ってハンドルは、容器本体を掴み動かすための非常に安全な方法を提供する。
更にこのハンドルは、容器本体に固定される適切な付加的な部品を必要としない。
更に容器は、容器本体のリムの任意の点で掴むことができる。従って、容器本体を掴む前に、容器本体を自転させて所定の角度に向けることが不要である。
本発明のハンドルは、容器本体の直径又は形状とは無関係に注出用リムを有する任意の容器本体に適合取付けできる。更に本発明のハンドルは、容器本体のスカートの厚さとは無関係に確実に固定される。何故ならばクランプ部材の端部はスカートの外面及び内面に係合するからである。
ハンドルを容器本体から取外すことができるので、使用中に容器を引っかけてひっくり返す危険を除去し、食器棚及び皿洗い機のラックの中に貯蔵するのが容易になり、押さえ部材の中に置くことが可能になる。
本発明の１つの有利な実施の形態では、ロック手段を具備し、ロック手段はクランプ部材を互いに対して閉成位置に保持する。
これらのロック手段によりハンドルは、使用者が必要とする時間にわたり容器本体に取付けられたままであることが可能である。
本発明の別の１つの有利な実施の形態では、他方のクランプ部材が、保持体に対して固定されている。
この構造は、容器本体の湾曲リムにハンドルを位置決めすることを容易にする。固定された部材は、容器本体のスカートに接触され、次いで変位手段が、スカートを把持するために作動される。これによりハンドルは容器本体に正確に固定される。
本発明のその他の特徴及び利点は以下の説明から明らかになる。
【０００６】
【発明の実施の形態】
まず初めに本発明の第１の実施の形態を図１及び図２を参照しながら説明する。
本発明のハンドルは、料理用容器タイプ（ソースパン、キャセロール、オーブン用耐熱皿等）の容器本体１のために用いられ、通常は底部と、注出用リップを形成する湾曲リム２を有する側壁すなわちスカート３を有する。
【０００７】
ハンドルは２つのクランプ部材１３及び１４を有し、これらのクランプ部材１３及び１４はクランプを形成し、このクランプ部材１３、１４は保持体１１に取付けられている。この実施の形態ではこのクランプ部材はソースパンハンドルの形状であり、このソースパンハンドルは開口１８を後部に有し、これによりこのソースパンハンドルをフックから懸架することが可能となる。ハンドルは、取外し可能なキャセロールハンドルの形状とすることも可能である。
クランプ部材１３及び１４はそれぞれ端部１３ａ及び１４ａを有し、端部１３ａ及び１４ａはそれぞれ、湾曲リム外面又は内面と、リム２に隣接するスカート３の一部とに対して補足的な形状を有する。
【０００８】
この実施の形態ではクランプ部材１３の端部１３ａは、スカート３の外面に係合し、クランプ部材１４の端部１４ａはスカート３の内面に係合する。
変位手段のレバー１２は、図１の開放位置と図２の閉成位置との間でクランプ部材１３と１４とを相互に変位させ、閉成位置では端部１３ａ及び１４ａは容器本体１のスカート３を把持する。
変位手段のレバー１２は保持体１１から離隔して広がる広がり位置と、保持体１１の中に引込められた引込み位置との間で回転する。
保持体１１はハウジングを有し、このハウジングは、クランプ部材１３及び１４の閉成位置に相応して引込み位置のレバー１２を収容する。
従って、ハンドルが容器本体１に固定されている場合、ハンドルは実質的に、従来のソースパンハンドルと同一の外形を有する。
レバー１２は、保持体１１に取付けられているピボットピン１７を中心に回転する。
【０００９】
以下に説明するロック手段１６は、互いに対して閉成位置にあるクランプ部材１３及び１４を保持する。
一方のクランプ部材１４は、保持体１１に対して並進運動可能である。
端部１３ａ，１４ａは、ハンドルが閉成しても互いに対して平行のままであり、実質的に容器本体１のスカート３に平行のままである。
従って本発明のハンドルは、可動クランプ部材１４の並進運動の最大行程の範囲内で任意の厚さの容器本体に適合取付け可能である。
他方のクランプ部材１３は、保持体１１に対して固定され、容器本体１のリム２の外面に係合する。
【００１０】
使用者による操作を容易にするために、そして、最良の人間工学的形状を得るために、ハンドルを作動するレバー１２は、保持体１１の下側に取付られている。
本発明ではクランプ部材１４は保持体１１に対して並進運動可能であり、リンク２０はレバー１２とクランプ部材１４との間で延在し、レバー１２が回転する際にクランプ部材１４を並進運動させて変位する。
従って、レバー１２が、保持体１１に取付けられているピボットピン１７を中心に回転する際、レバー１２の中に挿入されているリンク２０の端部２０ａも回転し、従ってレバー１２の行程の終了時点で、リンク２０は、クランプ部材１４の並進運動軸線すなわち保持体１１の長手方向軸線に位置する。
可動クランプ部材１４は端部１４ｂを有し、端部１４ｂによりリンク２０の他端２０ｂが支持されている。
【００１１】
この実施の形態では補償ばね１９の一端はレバー１２に固定され、他端は、レバー１２の中に挿入されているリンク２０の端部２０ａに固定されている。
図２の閉成位置では補償ばね１９は、容器本体１から離れる方向の力をクランプ部材１４の端部１４ｂへリンク２０を介して付与し、これにより２つのクランプ部材１３と１４との間の間隔の調整が、容器本体１の厚さ及び直径に従って行われる。これは、リム２がクランプ部材１３及び１４により把持されている場所でのいかなる遊びも消去する。従ってリンク２０及び補償ばね１９はロック手段１６を形成し、このロック手段１６はクランプ部材１３及び１４を互いに対して閉成位置に保持する。
この閉成位置では、並進運動可能なクランプ部材１４の少なくとも一部と、レバー１２の少なくとも一部とが互いに隣接しているのが望ましく、これらの部分は、相補的なラック２２，２３を有し、これらのラック２２，２３は互いに係合し、クランプ部材１４を不動化する。
このようにしてラック機構は安全装置を形成する。すなわちこの安全装置は、湾曲リム２に押付けられてクランプされているクランプ部材１３及び１４を保持するのに充分な力をもはや付与しない欠陥のある補償ばね１９に対して防護する。
【００１２】
リリースボタン２４が、回転レバー１２に取付けられている。
保持体１１は開口２５を有し、開口２５は、閉成位置でリリースボタン２４が収容され、従って保持体１１を貫通して通過するように配置されている。
ハンドルをリリースするために使用者は指でリリースボタン２４を押し下げる。
これにより補償ばね１９及びリンク２０はもはや、可動クランプ部材１４の並進運動方向の線に位置せず、保持体１１と可動クランプ部材１４の端部との間に配置されている戻しばね１５は、可動クランプ部材１４に取付けられている補償ばね１９の力の方向に対して反対の方向の力を付与し、これにより２つのクランプ部材１３と１４とは互いに分離される。
従って、ハンドルをリリースするためには、リリースボタン２４を押し下げることが必要であり、同時に、ハンドルの保持体１１を解放して、クランプ部材１３，１４を互いから分離することできるようにすることが必要である。
従って、取外し可能なハンドルは、使用上の安全性が非常に高い。何故ならばこのハンドルは、使用者が保持体１１を把持すると開くことが不可能であり、とりわけ、たとえリリースボタン２４が偶然に押し下げられても容器本体１が動かされている時には開くことが不可能である。
本発明のハンドルを操作するには使用者は、ハンドルを取り外すために、まず初めに安定位置に容器本体１を置く必要がある。これにより、保持体１１に圧力を付与している指を放してクランプ部材１３，１４を互いに分離させることが可能となるからである。
【００１３】
本発明の第２の実施の形態が図３に示されている。前述の実施の形態に設けられており同一の参照番号により示されている部分は、以下において説明しない。この実施の形態では図１のリンク２０と補償ばね１９との組合せは、同様にリンクとして機能するリンク板ばね４０により置換される。前述の場合と同様、リンク板ばね４０の一端４０ａはレバー１２の中に取付けられ、従ってリンク板ばね４０は、ハンドルが開放及び閉成されている場合にレバー１２と一緒に回転する。
リンク板ばね４０の他端４０ｂは、並進運動可能な可動クランプ部材１４の端部１４ｂを押圧しておらず、可動部材１４の長さの中に形成されている開口１４ｃを通過して可動クランプ部材１４と係合する。従ってリンク板ばね４０は、レバー１２と可動クランプ部材１４との間で延在し、レバー１２が回転すると可動クランプ部材１４を並進運動させて変位させる。
容器本体１のリム２を押圧している端部１４ａと、開口１４ｃとの間の距離は、実用化されている容器本体１の中で最小直径及び最小肉厚のもののリム２を把持できる程度に定められている。
【００１４】
リンク板ばね４０は充分に弾性的に形成されており、ハンドルが閉成されると僅かに圧縮され、これにより２つのクランプ部材１３と１４との間の間隔が調整されて、料理容器の異なる直径及び異なる肉厚が補償される。
従ってリンク板ばね４０は可動部材１４とレバー１２とにそれぞれ取付けられているそれぞれの端部の間で湾曲した形状を有し、この湾曲部分の曲率半径は、リンク板ばね４０が圧縮されると僅かに小さくなる。
ハンドルの閉成位置ではリンク板ばね４０は、可動クランプ部材１４の並進運動の軸線にほぼ平行であり、すなわち、ハンドルを受止める容器本体１のスカート３の部分に対して直角であり、可動クランプ部材１４の端部１４ａに力を付与し、他方のクランプ部材１３の端部１３ａに同一の強さで方向が反対の力を付与する。従ってリンク板ばね４０は、前述の実施の形態の補償ばね１９の機能を有する。
前述の場合と同様、可動クランプ部材１４は、戻しばね１５のための座面を形成する座面部１４ｄを有し、戻しばね１５は、この座面部１４ｄと、ハンドルの保持体１１に取付けられている部分との間に配置されている。
勿論、多数の変更が、本発明の範囲から逸脱すること無しに前述の実施の形態において可能である。
例えばハンドルは、キャセロールハンドルの形状の保持体を有することも可能である。
【図面の簡単な説明】
【図１】開放位置での本発明のハンドルの第１の実施の形態の断面図である。
【図２】閉成位置での図１のハンドルを示す。
【図３】開放位置での本発明のハンドルの第２の実施の形態の断面図である。
【符号の説明】
１  容器本体
２  湾曲リム
３  スカート（側壁）
１１  保持体
１２  レバー
１３，１４  クランプ部材
１３ａ  端部
１４ａ，１４ｂ  端部
１７  ピボットピン
１８  開口
１９  補償ばね
２０  リンク
２０ａ  端部
２４  リリースボタン
２５  開口
４０  リンク板ばね
４０ａ  一端
２０ｂ、４０ｂ  他端
【図１】
0003651631.tif 000002
【図２】
0003651631.tif 000003
【図３】
0003651631.tif 000004